(57)【要約】【課題】  駆動モータ側のリンク機構と連結されるための連結部材を備えた樹脂製ワイパーアームにおいて、連結部材が、ワイパーアームの樹脂構造に高い固定強度で固定され、抜け出しや回転が確実に防止され得るとともに、製造が容易で、かつ高い耐久性を持つようにできるワイパーアームを提供する。【解決手段】  樹脂製ワイパーアーム１の連結部３において、樹脂部６内に埋設されるリング部材１０に、複数の凹部１２を設ける。凹部１２内に樹脂が充填されることにより、リング部材１０は、抜け出し又は回転しないように、樹脂部６内に確実に固定される。凹部１２は、リング部材１０を鍛造加工することにより、複数の突起部１１がえぐり出された跡に形成される。【選択図】      図３
2005297879.tif 000002
【特許請求の範囲】
【請求項１】
樹脂製ワイパーアームにおいて、
駆動モータ側のリンク機構との連結のために前記ワイパーアームの樹脂構造内に固定される金属製の連結部材を備えるとともに、
前記連結部材に凹部を設け、前記凹部内に樹脂が充填され得るようにしたワイパーアーム。
【請求項２】
前記連結部材は、前記リンク機構の連結軸が嵌合するリング部材である請求項１に記載のワイパーアーム。
【請求項３】
前記凹部は、前記リング部材の外周面に形成されている請求項２に記載のワイパーアーム。
【請求項４】
前記凹部は、前記リング部材の外周を取り囲むように、複数設けられている請求項３に記載のワイパーアーム。
【請求項５】
前記凹部は、鍛造により形成される請求項１から請求項４のいずれか一つに記載のワイパーアーム。
【請求項６】
前記連結部材に、前記突起部を設けた請求項１から請求項５のいずれか一つに記載のワイパーアーム。
【請求項７】
前記突起部は鍛造により形成され、前記突起部がえぐり出された跡が前記凹部となっている請求項６に記載のワイパーアーム。
【請求項８】
樹脂製ワイパーアームを駆動モータ側のリンク機構との連結のために、前記ワイパーアームの樹脂構造内に固定される金属製の連結部材において、
樹脂が充填され得る凹部を備えたワイパーアーム用連結部材。
【請求項９】
突起部を備え、前記凹部は前記突起部を鍛造によりえぐり出した跡に形成される請求項８に記載のワイパーアーム用連結部材。
【発明の詳細な説明】
【技術分野】
【０００１】
本発明は、樹脂製ワイパーアームに関し、より詳細には、樹脂製ワイパーアームを駆動モータ側のリンク機構に連結するための連結部材の改良に関する。
【背景技術】
【０００２】
自動車等に備えられるワイパー装置は、窓ガラス等を払拭するワイパーブレードをワイパーアームで支持し、このワイパーアームを、リンク機構を介して駆動モータに連係させることにより構成される。
【０００３】
このようなワイパーアームとしては、樹脂製のものが用いられることがある。図６には、従来の樹脂製ワイパーアームの一例を示す。図示されるように、ワイパーアーム１０１は、樹脂を成形してなる本体部１０２と、この本体部１０２基端のブラケット１０２Ｂに軸支される連結部１０３とからなる。図示されないワイパーブレードは、本体部１０２先端のブレード支持部１０２Ａに取り付けられる。
【０００４】
連結部１０３は、駆動モータ側のリンク機構（図示せず）と連結される部分で、樹脂を成形して形成される樹脂部１０６と、この樹脂部１０６内に埋設される金属製（例えばアルミニウム製）のリング部材１１０とから構成される。ここで、リング部材１１０は、その外周面１０Ｄに半径方向外側に延び出す複数の突起部１１１を有するように、鋳造によって形成されたものである。これらの突起部１１１の存在により、リング部材１１０の樹脂部１０６内への固定強度が高められ、リング部材１１０の抜け出しや回転が防止されるようになっている。
【０００５】
リング部材１１０は、駆動モータ側リンク機構とワイパーアームとを連結する連結部材（いわゆるインサートヘッド）として作用する。具体的には、リング部材１１０の中空部１１０Ｃに駆動モータ側リンク機構の連結軸（図示せず）が嵌合し、ナット等の固定手段で固定されることにより、ワイパーアーム１０１（連結部１０３）とリンク機構の連結がなされる。
【発明の開示】
【発明が解決しようとする課題】
【０００６】
しかしながら、このような従来のリング部材１１０では、リング部材１１０の抜け出し及び回転防止の構造が突起部１１１だけであるので、リング部材１１０の樹脂部１０６への固定は、必ずしも完全なものではなかった。また、リング部材１１０は、鋳造で形成されるので、製造過程で材料に不純物が混入しやすく、リング部材１１０を構成する金属の純度を高く保つことは難しい。このため、リング部材１１０の耐久性を向上させるために、防食処理等が必要となっていた。
【０００７】
本発明は、このような問題点に着目してなされたもので、駆動モータ側のリンク機構と連結されるための連結部材を備えた樹脂製ワイパーアームにおいて、連結部材が、ワイパーアームの樹脂構造に高い固定強度で固定され、抜け出しや回転が確実に防止され得るとともに、製造が容易で、かつ高い耐久性を持つようにできるワイパーアームを提供することを目的とする。
【課題を解決するための手段】
【０００８】
本発明のワイパアームは、樹脂製ワイパーアームにおいて、駆動モータ側のリンク機構との連結のために前記ワイパーアームの樹脂構造内に固定される金属製の連結部材を備えるとともに、前記連結部材に凹部を設け、前記凹部内に樹脂が充填され得るようにした。
【０００９】
また本発明のワイパーアームでは、前記連結部材は、前記リンク機構の連結軸が嵌合するリング部材であってもよい。
また本発明のワイパーアームでは、前記凹部は、前記リング部材の外周面に形成されていてもよい。
【００１０】
また本発明のワイパーアームでは、前記凹部は、前記リング部材の外周を取り囲むように、複数設けられていてもよい。
また本発明のワイパーアームでは、前記凹部は、鍛造により形成されていてもよい。
【００１１】
また本発明のワイパーアームでは、前記連結部材に、前記突起部を設けてもよい。
また本発明のワイパーアームでは、前記突起部は鍛造により形成され、前記突起部がえぐり出された跡が前記凹部となっているようにしてもよい。
【００１２】
本発明のワイパーアーム用連結部材は、樹脂製ワイパーアームを駆動モータ側のリンク機構との連結のために、前記ワイパーアームの樹脂構造内に固定される金属製の連結部材において、樹脂が充填され得る凹部を備えた。
【００１３】
また本発明のワイパーアーム用連結部材では、突起部を備えるとともに、前記凹部は前記突起部を鍛造によりえぐり出した跡に形成されるようにしてもよい。
【発明の効果】
【００１４】
本発明によれば、樹脂製ワイパーアーム（例えば実施形態のワイパーアーム１）と駆動モータ側のリンク機構との連結のために用いられる金属製の連結部材（例えば実施形態のリング部材１０）に、凹部（例えば実施形態の凹部１２）を設けたので、この凹部内に樹脂が充填されることにより、連結部材を樹脂構造（例えば実施形態の連結部３の樹脂部６）の中に確実に固定し、連結部材の樹脂構造からの抜け出しや樹脂構造内での回転を防止することができる。
【００１５】
また、凹部を鍛造により形成すれば、凹部の加工工程において連結部材の材料である金属に不純物が混入することはないので、連結部材を構成する金属の純度を高めることができ、錆び等の生じにくい耐久性の高い連結部材を、低コストで提供できる。
【００１６】
さらに、連結部材に突起部（例えば実施形態の突起部１１）を設け、鍛造加工において、この突起部がえぐり出された跡が凹部となるようにすれば、連結部材の抜け出し及び回転を防止するための構造（凹部及び突起部）を、効率的に形成できる。
【発明を実施するための最良の形態】
【００１７】
以下、添付図面に基づいて、本発明の実施形態を説明する。
図１及び図２には、本発明の実施形態におけるワイパーアーム１を示す。図示されるように、ワイパーアーム１は、本体部２と、この本体部３の基端側に結合された連結部３とからなる。
【００１８】
本体部２は、なだらかに湾曲した長尺状の部材で、樹脂を成形して形成される。本体部２の先端側には、ブレード支持部２Ａが備えられる。このブレード支持部２Ａには、図示されないワイパーブレードが取り付けられる。
【００１９】
一方、本体部２の基端側の両側には、一対のブラケット２Ｂが設けられている。連結部３は、これらブラケット２Ｂの間に配置され、ブラケット２Ｂに対して、ピン４を介して回動可能に取り付けられている。ワイパーアーム１は、この連結部３において、図示されない駆動モータ側のリンク機構に連結される。なお、完成形のワイパー装置では、連結部３には、保護用のカバー部材５が取り付けられるようになっている（図１、図２には、二点鎖線で示す）。
【００２０】
図３には、連結部３の断面図を示す。図示されるように、連結部３は、樹脂を成形して形成される樹脂部６と、この樹脂部６内に埋設状態で固定されるリング部材１０とからなる。
【００２１】
樹脂部６は、本体部２に軸支される本体側部分６Ａと、この本体側部分６Ａの本体部２と反対側に設けられた円筒部６Ｂと、この円筒部６Ｂの上部に設けられた水平部６Ｃとを備えている。これら本体側部分６Ａと円筒部６Ｂと水平部６Ｃは、樹脂により一体に成形されている。
【００２２】
リング部材１０は、金属製（例えばアルミニウム製）の環状部材であり、水平部６Ｃ内に埋設されている。この場合、リング部材１０は、水平部６Ｃを上下に貫通するように（上端面１０Ａ及び下端面１０Ｂが上下に露出するように）配置される。これにより、リング部材１０の中空部１０Ｃは、円筒部６Ｂの中空部６Ｄから水平部６Ｃの上方へと、水平部６Ｃを上下に貫通した状態となる。
【００２３】
連結部３に駆動モータ側のリンク機構（図示せず）を連結する場合には、リンク機構の連結構造（図示せず）を、中空部６Ｄ内に装着する。そして、この連結構造の連結軸（図示せず）を、リング部材１０の中空部１０Ｃに嵌合させ、ナット等の固定手段によって固定することにより、リンク機構と連結部３の連結がなされるようになっている。
【００２４】
図４、図５にも示すように、リング部材１０には、その外周面１０Ｄから半径方向外側に延び出す複数の突起部１１が設けられている。これらの突起部１１は、板状の部分であり、リング部材１０の周方向の全域にわたって、所定間隔で配置されている。突起部１１は、リング部材１０を樹脂部６内に確実に固定するためのもので、これらの突起部１１の存在により、リング部材１０が樹脂部６から軸方向（図３の上下方向）に抜け出してしまったり、樹脂部６内で回転してしまったりすることが防止される。
【００２５】
リング部材１０の外周面１０Ｄには、リング部材１０の上面から各突起部１１の上面に至るように、複数の凹部１２が形成されている。これら凹部１２は、突起部１１と同様に、リング部材１０の周方向の全域にわたって、所定間隔で配置されている。これらの凹部１２内に樹脂が充填されることにより、リング部材１０は、樹脂部６に対して、より確実に固定され、リング部材１０の抜け出しや回転が、より確実に防止される。
【００２６】
本実施形態では、突起部１１及び凹部１２は、鍛造により形成される。具体的には、半径方向外側に延び出す複数の突起部１１が形成されるように、リング部材１０の上端面１０Ａ付近に鍛造加工を施すことにより、突起部１１がえぐり出された跡に、凹部１２が形成される。したがって、本実施形態では、凹部１２は、対応する突起部１１の上方に、突起部１１と同数設けられることになる。このように、突起部１１及び凹部１２を鍛造で形成すれば、突起部１１及び凹部１２を、同時に、容易な加工で形成することができる。また、鍛造加工中には金属材料内に不純物が混入することがないので、リング部材１０を鋳造で形成した場合に比較して、リング部材１０を構成する金属（例えばアルミニウム）の純度を高めることができ、リング部材１０を、錆び等の生じにくい耐久性の高いものとできる。
【００２７】
以上のように、本実施形態によれば、ワイパーアーム１の連結用のリング部材１０に、複数の凹部１２を設けたので、ワイパーアーム１の基端部３の樹脂成形時に、凹部１２内に樹脂が充填されることにより、リング部材１０は基端部３の樹脂部６内に確実に固定され、リング部材１０の抜けや回転を確実に防止できる。また、凹部１２は、リング部材１０を鍛造加工することにより容易に形成され得るので、リング部材１０の製造工程を効率化でき、製造コストを削減できる。さらに、凹部１２を鍛造で形成すれば、加工中にリング部材１０に不純物が混入することがないので、リング部材１０を構成する金属の純度を高めることができ、リング部材１０の耐久性を高めることができる。
【００２８】
なお、上記実施形態では、リング部材１０を鍛造により加工しているが、本発明はこのような形態に限られるものではなく、凹部１２は、いかなる方法で形成してもよい。例えば、従来と同様に鋳造で形成することもできる。
【００２９】
また、上記実施形態では、リング部材１０に、凹部１２とともに、突起部１１を備えたが、本発明は、リング部材１０に凹部１２が設けられていれば成立し、突起部１１は必ずしも設けられていなくてもよい。
【００３０】
さらに、本発明では、凹部１２の位置、形状、数等は、特に限定されない。例えば、凹部１２は、リング部材の下端面１０Ｂ付近に形成してもよい。また、凹部１２の数と突起部１１の数は、一致させなくてもよいし、凹部１２と突起部１１とを互いに整合した位置に設けないことも可能である。
【図面の簡単な説明】
【００３１】
【図１】本発明の実施形態におけるワイパーアームの側面図である。
【図２】同じくワイパーアームの底面図である。
【図３】同じく連結部の断面図である。
【図４】同じくリング部材の平面図である。
【図５】同じくリング部材の断面図である。
【図６】従来のワイパーアームの底面図である。
【図７】同じく連結部の断面図である。
【図８】同じくリング部材の平面図である。
【図９】同じくリング部材の断面図である。
【符号の説明】
【００３２】
１  ワイパーアーム
２  本体部
３  連結部
６  樹脂部
６Ａ  先端側部分
６Ｂ  円筒部
６Ｃ  水平部
１０  リング部材
１１  突起部
１２  凹部
【図１】
2005297879.tif 000003
【図２】
2005297879.tif 000004
【図３】
2005297879.tif 000005
【図４】
2005297879.tif 000006
【図５】
2005297879.tif 000007
【図６】
2005297879.tif 000008
【図７】
2005297879.tif 000009
【図８】
2005297879.tif 000010
【図９】
2005297879.tif 000011